(57)【要約】      （修正有）【課題】書写できるスマホケースを提供する。【解決手段】スマホケースは、ケース１０、スマホ凹槽２６、紙送出し口３７、第二チャンバ２７、書写下敷き２８、書写枠係止溝１７、カバー１６、熱抵抗線１２、加熱輪１３、第一円形歯車書写筆、押えスイッチ１４が設置される。押えスイッチが熱抵抗線を通電させ、熱抵抗線が加熱輪を予熱し、第一円形歯車書写筆を使って第二チャンバの中の書写紙に書写する。書写紙が書写済みの書写紙を第一ロール３６と加熱輪の中に推し、加熱輪が回転して書写紙の字を加熱して乾燥させ、その後書写紙を紙送出し口から取り出す。【選択図】図１
2020182759.tif 000002
【特許請求の範囲】
【請求項１】
正面視で、ケースを含み、前記ケースの頂端には第一チャンバが固定的に設置されており、前記第一チャンバの右端には右に開口したスマホ凹槽が設置されており、前記第一チャンバの頂端には紙送出し口が連通して設置されており、前記紙送出し口が前記ケースの外側と連通しており、前記第一チャンバの左端には第一回転軸が回転できるように設置されており、前記第一回転軸には加熱輪が固定的に設置されており、前記加熱輪の中には熱抵抗線が設置されており、前記第一チャンバの右端には第二回転軸が回転できるように設置されており、前記第二回転軸には第一ロールが固定的に設置されており、前記第一チャンバの底端には第二チャンバが設置されており、前記第二チャンバと前記第一チャンバの間には第一通槽が連通して設置されており、前記第二チャンバには弓形ブロックが上下に対称的にスライドできるように設置されており、前記弓形ブロックの間には書写下敷きが固定的に設置されており、前記書写下敷きと前記第二チャンバの右側端面の間には第一撥条が固定的に接続されており、前記第二チャンバの底端には第三チャンバが設置されており、前記第三チャンバと前記第二チャンバの間には第二通槽が連通して設置されており、前記第三チャンバの後側には上に開口した第一スライド溝が設置されており、前記第一スライド溝と前記第三チャンバの間には第三回転軸が回転できるように設置されており、前記第三回転軸が前記ケースの後側端壁から伸び出ており、前記第三チャンバの中の前記第三回転軸には第二ロールが固定的に設置されており、前記第二ロールの外周にはベルトが周設されており、前記第一スライド溝の中の前記第三回転軸にはロック歯車が固定的に設置されており、前記ケースの外側の前記第三回転軸の末端には回転盤が固定的に設置されており、前記第三回転軸の右側には前記第三チャンバの中でスライドするスライドボードが設置されており、前記スライドボードと前記ベルトの間には書写紙を置け、前記スライドボードと前記第三チャンバの右側端面の間には第二撥条が固定的に接続されており、前記第三チャンバの右側には下に開口した第四チャンバが設置されており、前記第四チャンバが前記スマホ凹槽と連通しており、前記第三チャンバと前記第四チャンバの間には第三通槽が連通して設置されており、前記ロック歯車の頂端には前記第一スライド溝の中でスライドするキャップが設置されており、前記キャップの中には上に開口した筆槽が設置されており、前記筆槽の中には第一円形歯車書写筆を挿入でき、前記キャップの底端にはロック歯が固定的に設置されており、前記ロック歯によって前記ロック歯車をロックでき、前記第一スライド溝の左端には第二スライド溝が連通して設置されており、前記第二スライド溝の中にはスライダがスライドできるように設置されており、前記スライダと前記キャップとが固定的に接続されており、前記スライダと前記第二スライド溝の頂面の間には第三撥条が固定的に接続されることを特徴とする書写できるスマホケース。
【請求項２】
前記第二チャンバの左端には左に開口した書写枠係止溝が連通して設置されており、前記書写枠係止溝の頂端には押えスイッチが固定的に設置されており、前記書写枠係止溝の底端にはカバーがスライドできるように設置されており、前記第二チャンバの右端には推し棒がスライドできるように設置されており、前記押し棒によって前記書写下敷きを押さ得ることができ、前記推し棒と前記カバーとの間には液圧管が伝動できるように設置されており、前記カバーの左端にはバックルが固定的に設置されており、前記書写枠係止溝の底端には左に開口した枠凹溝が設置されていることを特徴とする請求項１に記載の書写できるスマホケース。
【請求項３】
前記第四チャンバの頂端には第四回転軸が回転できるように設置されており、前記第四回転軸にはリールと第一円形歯車が固定的に設置されており、前記リールと前記スライドボードの間には鋼線が固定的に接続されており、前記第四チャンバの底端には第五回転軸が回転できるように設置されており、前記第五回転軸には第二円形歯車と円盤が固定的に設置されており、前記第二円形歯車と前記とが噛み合い、前記円盤には底蓋が固定的に設置されており、前記底蓋が前記第三チャンバの底端を封じることを特徴とする請求項１に記載の書写できるスマホケース。
【発明の詳細な説明】
【技術分野】
【０００１】
本発明はスマホ部品分野を取り上げて、具体的には書写できるスマホケースである。
【背景技術】
【０００２】
外に簡単なメモ或いは簡単なメッセージを記録する時、スマホの記録に限界があり、それに、一部分の文字の書写について、スマホで字を打つのは面倒で、メッセージ交流は紙より便利ではなく。それに、付箋とペンで記録する時には特別にカバンから取り出す必要があり、便利ではない。そのため、書写できるスマホケースを設計して上記の問題を解決する必要がある。
【先行技術文献】
【特許文献】
【０００３】
【特許文献１】中国特許出願公開第１０９４９５６２８号明細書
【発明の概要】
【発明が解決しようとする課題】
【０００４】
本発明の解決すべきの技術問題は書写できるスマホケースを提供し、それが上記現有の技術の問題を解決できる。
【課題を解決するための手段】
【０００５】
本発明の書写できるスマホケースは、ケースを含み、前記ケースの頂端には第一チャンバが固定的に設置されており、前記第一チャンバの右端には右に開口したスマホ凹槽が設置されており、前記第一チャンバの頂端には紙送出し口が連通して設置されており、前記紙送出し口が前記ケースの外側と連通しており、前記第一チャンバの左端には第一回転軸が回転できるように設置されており、前記第一回転軸には加熱輪が固定的に設置されており、前記加熱輪の中には熱抵抗線が設置されており、前記第一チャンバの右端には第二回転軸が回転できるように設置されており、前記第二回転軸には第一ロールが固定的に設置されており、前記第一チャンバの底端には第二チャンバが設置されており、前記第二チャンバと前記第一チャンバの間には第一通槽が連通して設置されており、前記第二チャンバには弓形ブロックが上下に対称的にスライドできるように設置されており、前記弓形ブロックの間には書写下敷きが固定的に設置されており、前記書写下敷きと前記第二チャンバの右側端面の間には第一撥条が固定的に接続されており、前記第二チャンバの底端には第三チャンバが設置されており、前記第三チャンバと前記第二チャンバの間には第二通槽が連通して設置されており、前記第三チャンバの後側には上に開口した第一スライド溝が設置されており、前記第一スライド溝と前記第三チャンバの間には第三回転軸が回転できるように設置されており、前記第三回転軸が前記ケースの後側端壁から伸び出ており、前記第三チャンバの中の前記第三回転軸には第二ロールが固定的に設置されており、前記第二ロールの外周にはベルトが周設されており、前記第一スライド溝の中の前記第三回転軸にはロック歯車が固定的に設置されており、前記ケースの外側の前記第三回転軸の末端には回転盤が固定的に設置されており、前記第三回転軸の右側には前記第三チャンバの中でスライドするスライドボードが設置されており、前記スライドボードと前記ベルトの間には書写紙を置け、前記スライドボードと前記第三チャンバの右側端面の間には第二撥条が固定的に接続されており、前記第三チャンバの右側には下に開口した第四チャンバが設置されており、前記第四チャンバが前記スマホ凹槽と連通しており、前記第三チャンバと前記第四チャンバの間には第三通槽が連通して設置されており、前記ロック歯車の頂端には前記第一スライド溝の中でスライドするキャップが設置されており、前記キャップの中には上に開口した筆槽が設置されており、前記筆槽の中には第一円形歯車書写筆を挿入でき、前記キャップの底端にはロック歯が固定的に設置されており、前記ロック歯によって前記ロック歯車をロックでき、前記第一スライド溝の左端には第二スライド溝が連通して設置されており、前記第二スライド溝の中にはスライダがスライドできるように設置されており、前記スライダと前記キャップとが固定的に接続されており、前記スライダと前記第二スライド溝の頂面の間には第三撥条が固定的に接続される。
【０００６】
更なる技術方案、前記第二チャンバの左端には左に開口した書写枠係止溝が連通して設置されており、前記書写枠係止溝の頂端には押えスイッチが固定的に設置されており、前記書写枠係止溝の底端にはカバーがスライドできるように設置されており、前記第二チャンバの右端には推し棒がスライドできるように設置されており、前記押し棒によって前記書写下敷きを押さ得ることができ、前記推し棒と前記カバーとの間には液圧管が伝動できるように設置されており、前記カバーの左端にはバックルが固定的に設置されており、前記書写枠係止溝の底端には左に開口した枠凹溝が設置されている。
【０００７】
更なる技術方案、前記第四チャンバの頂端には第四回転軸が回転できるように設置されており、前記第四回転軸にはリールと第一円形歯車が固定的に設置されており、前記リールと前記スライドボードの間には鋼線が固定的に接続されており、前記第四チャンバの底端には第五回転軸が回転できるように設置されており、前記第五回転軸には第二円形歯車と円盤が固定的に設置されており、前記第二円形歯車と前記とが噛み合い、前記円盤には底蓋が固定的に設置されており、前記底蓋が前記第三チャンバの底端を封じる。
【発明の効果】
【０００８】
以上により、本発明は書写できるスマホケースであり、快適便利、操作が簡単明瞭で。同時に、本発明の装置は簡潔大方で、書写効果がよく、適用なシーンが幅広く、実用性が強い。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の書写できるスマホケースの全体構成模式図
【図２】図２は図１のＡーＡの構成模式図
【図３】図３は図１のＢの拡大構成模式図
【発明を実施するための形態】
【００１１】
本説明書により公開されるすべての特徴、或いは公開されるすべての方法或いは過程中の順序は、互いに排斥する特徴或いは順序以外、いかなる方法で組み合わせる。
【００１２】
図１〜３に示すように、本発明の書写できるスマホケースは、ケース１０を含み、前記ケース１０の頂端には第一チャンバ１１が固定的に設置されており、前記第一チャンバ１１の右端には右に開口したスマホ凹槽２６が設置されており、前記第一チャンバ１１の頂端には紙送出し口３７が連通して設置されており、前記紙送出し口３７が前記ケース１０の外側と連通しており、前記第一チャンバ１１の左端には第一回転軸３４が回転できるように設置されており、前記第一回転軸３４には加熱輪１３が固定的に設置されており、前記加熱輪１３の中には熱抵抗線１２が設置されており、前記第一チャンバ１１の右端には第二回転軸３５が回転できるように設置されており、前記第二回転軸３５には第一ロール３６が固定的に設置されており、前記第一チャンバ１１の底端には第二チャンバ２７が設置されており、前記第二チャンバ２７と前記第一チャンバ１１の間には第一通槽３３が連通して設置されており、前記第二チャンバ２７には弓形ブロック３２が上下に対称的にスライドできるように設置されており、前記弓形ブロック３２の間には書写下敷き２８が固定的に設置されており、前記書写下敷き２８と前記第二チャンバ２７の右側端面の間には第一撥条３１が固定的に接続されており、前記第二チャンバ２７の底端には第三チャンバ２０が設置されており、前記第三チャンバ２０と前記第二チャンバ２７の間には第二通槽１９が連通して設置されており、前記第三チャンバ２０の後側には上に開口した第一スライド溝４４が設置されており、前記第一スライド溝４４と前記第三チャンバ２０の間には第三回転軸２３が回転できるように設置されており、前記第三回転軸２３が前記ケース１０の後側端壁から伸び出ており、前記第三チャンバ２０の中の前記第三回転軸２３には第二ロール２２が固定的に設置されており、前記第二ロール２２の外周にはベルト２１が周設されており、前記第一スライド溝４４の中の前記第三回転軸２３にはロック歯車４６が固定的に設置されており、前記ケース１０の外側の前記第三回転軸２３の末端には回転盤４７が固定的に設置されており、前記第三回転軸２３の右側には前記第三チャンバ２０の中でスライドするスライドボード５３が設置されており、前記スライドボード５３と前記ベルト２１の間には書写紙５５を置け、前記スライドボード５３と前記第三チャンバ２０の右側端面の間には第二撥条５６が固定的に接続されており、前記第三チャンバ２０の右側には下に開口した第四チャンバ２５が設置されており、前記第四チャンバ２５が前記スマホ凹槽２６と連通しており、前記第三チャンバ２０と前記第四チャンバ２５の間には第三通槽５２が連通して設置されており、前記ロック歯車４６の頂端には前記第一スライド溝４４の中でスライドするキャップ４９が設置されており、前記キャップ４９の中には上に開口した筆槽５０が設置されており、前記筆槽５０の中には第一円形歯車書写筆５１を挿入でき、前記キャップ４９の底端にはロック歯４８が固定的に設置されており、前記ロック歯４８によって前記ロック歯車４６をロックでき、前記第一スライド溝４４の左端には第二スライド溝４１が連通して設置されており、前記第二スライド溝４１の中にはスライダ４３がスライドできるように設置されており、前記スライダ４３と前記キャップ４９とが固定的に接続されており、前記スライダ４３と前記第二スライド溝４１の頂面の間には第三撥条４２が固定的に接続される。
【００１３】
有益なように、前記第二チャンバ２７の左端には左に開口した書写枠係止溝１７が連通して設置されており、前記書写枠係止溝１７の頂端には押えスイッチ１４が固定的に設置されており、前記書写枠係止溝１７の底端にはカバー１６がスライドできるように設置されており、前記第二チャンバ２７の右端には推し棒２９がスライドできるように設置されており、前記押し棒２９によって前記書写下敷き２８を押さ得ることができ、前記推し棒２９と前記カバー１６との間には液圧管１８が伝動できるように設置されており、前記カバー１６の左端にはバックル１５が固定的に設置されており、前記書写枠係止溝１７の底端には左に開口した枠凹溝１７が設置されている。
【００１４】
有益なように、前記第四チャンバ２５の頂端には第四回転軸６０が回転できるように設置されており、前記第四回転軸６０にはリール６２と第一円形歯車６１が固定的に設置されており、前記リール６２と前記スライドボード５３の間には鋼線５４が固定的に接続されており、前記第四チャンバ２５の底端には第五回転軸５７が回転できるように設置されており、前記第五回転軸５７には第二円形歯車５９と円盤５８が固定的に設置されており、前記第二円形歯車５９と前記６１とが噛み合い、前記円盤５８には底蓋２４が固定的に設置されており、前記底蓋２４が前記第三チャンバ２０の底端を封じる。
【００１５】
以下、付図１〜３及び上記の本願発明の車載用スマホケースの具体的な構造を参考してその使い方を詳しく説明する：
【００１６】
まず、初期状態の時、カバー１６が書写枠係止溝１７を封じ、押えスイッチ１４が押えられて熱抵抗線１２を通電させなく、ロック歯４８がロック歯車４６を制限する。
【００１７】
書写する前に、第一円形歯車書写筆５１を抜け出し、スライダ４３が第三撥条４２に引っ張られて上へスライドし、スライダ４３がキャップ４９を上へスライド連動させ、キャップ４９がロック歯４８を連動させてロック歯車４６を制限させなく、この時第三回転軸２３が回転できる。
【００１８】
回転盤４７を回し、回転盤４７が第二ロール２２を回転連動させ、第二ロール２２がベルト２１によって書写紙５５を上へスライド連動させ、書写紙５５が第二通槽１９を通して第二チャンバ２７と第一通槽３３の中に入り、書写紙５５が上下に第二チャンバ２７を貫通するのを観察したら、下へカバー１６をスライドさせ、バックル１５と書写枠係止溝１７とが係合され、カバー１６が液圧管２８によって推し棒２９を左へスライド連動させ、推し棒２９が書写下敷き２８を左へスライド連動させ、書写下敷き２８と弓形ブロック３２が左へスライドして書写紙５５を第二チャンバ２７の左端に押す。
【００１９】
同時に、カバー１６が押えスイッチ１４を押えなく、押えスイッチ１４が熱抵抗線１２を通電させ、熱抵抗線１２が加熱輪１３を予熱し、第一円形歯車書写筆５１を使って第二チャンバ２７の中の書写紙５５に書写完了後、カバー１６を推して初期位置に戻し、再び回転盤４７を回転させ、次の書写紙５５が書写済みの書写紙５５を第一ロール３６と加熱輪１３の中に推し、加熱輪１３が回転して書写紙５５の字を加熱して乾燥させ、その後書写紙５５を紙送出し口３７から取り出す。
【００２０】
書写紙５５を切り替える時、底蓋２４を回し、底蓋２４が第三チャンバ２０の底端を封じなく、底蓋２４が円盤５８を回転連動させ、円盤５８が第二円形歯車５９を回転連動させ、第二円形歯車５９が第一円形歯車とリール６２を回転連動させ、リール６２に鋼線５４を巻き付け、スライドボード５３が右へスライドして書写紙５５を切り替える空間を与える。
【００２１】
以上により、発明の具体実施方式だけであり、ところが、発明の保護範囲はこれには限らない、創造性労働のない考えた変化や入替えは、発明の保護範囲の中に含むべきである。
【図１】
2020182759.tif 000003
【図２】
2020182759.tif 000004
【図３】
2020182759.tif 000005